(57)【要約】【課題】  ケーブル外径の細径化を図ると共に電磁遮蔽効果を損なうことなく防鼠効果も得ることができるようにする。【解決手段】  複数の絶縁線心４を撚り合わせた線心上に内部シース７を被覆し、該内部シース７の上に銅テープ９を巻回し、該銅テープ９の上に鉄テープ１０を巻回し、該鉄テープ１０の上に外部シース１２を被覆して構成する。【選択図】      図１
2006139923.tif 000002
【特許請求の範囲】
【請求項１】
複数の絶縁線心を撚り合わせた線心上に内部シースを被覆し、該内部シースの上に銅テープを巻回し、該銅テープの上に鉄テープを巻回し、該鉄テープの上に外部シースを被覆して構成したことを特徴とする電磁遮蔽ケーブル。
【請求項２】
前記鉄テープの厚さは、２ｍｍ〜３ｍｍ（２ｍｍが望ましい）である請求項１に記載の電磁遮蔽ケーブル。
【請求項３】
前記内部シースは、硬質のプラスチックである請求項１又は２に記載の電磁遮蔽ケーブル。
【発明の詳細な説明】
【技術分野】
【０００１】
本発明は、電磁遮蔽ケーブルに係り、特に電線外径の細径化を図ると共に電磁遮蔽効果を損なうことなく防鼠効果も得ることのできる電磁遮蔽ケーブルに関する。
【背景技術】
【０００２】
制御機器に用いられる制御用ケーブルには、制御用の伝送信号が流れている。この伝送信号には、他の電線、ケーブルからの電磁誘導作用によって誘起された電磁波によって制御用ケーブルにノイズ（雑音）となって混入することがある。このノイズが混入すると、制御用ケーブルによって伝送する伝送信号が正常でない（異常）信号となって伝送される。このノイズの乗った信号は、制御機器の制御動作を誤らすことがあるので、制御用ケーブルにノイズが乗ることが問題となっていた。そこで、この電磁誘導作用によって生じるノイズを防ぐために、従来は、制御機器に用いられる制御用ケーブルに電磁遮蔽（電磁シールド）効果を有する電磁遮蔽層を設けた制御用ケーブル（電磁遮蔽ケーブル）が用いられている。
【０００３】
ところで、この従来用いられている電磁遮蔽ケーブルの最外層には、ケーブルを保護するためにポリ塩化ビニル等の合成樹脂からなるシースが被覆されている。しかし、このような制御用ケーブルは、シースが軟らかいので、鼠によって食いちぎられる（鼠による食害）ことがある。この制御用ケーブルの絶縁体やシースが食いちぎられると、制御用ケーブルが絶縁不良をおこし、制御機器の制御不良を起こしてしまうという問題を有している。そこで、従来は、この鼠による食害を防止する（防鼠）ため、図２に示す如く、電磁遮蔽ケーブルに防鼠専用の金属テープを巻いて被覆したものが使われている。
【０００４】
この図２に図示の制御用ケーブルは、電磁遮蔽ケーブルに防鼠専用の金属テープを巻いて被覆した構成となっている。
【０００５】
図２に図示の電磁遮蔽ケーブル２１は、導体２２の上に絶縁体２３を被覆して構成された絶縁線心２４を３本撚り合せてある。そして、この絶縁線心２４を３本撚り合せ、各絶縁線心２４の間に、介在２５を介在させてこの上に押さえテープ２６とポリエチレンテープ２７を施して３心ケーブル２８が構成されている。この３心ケーブル２８の上に銅テープ２９を巻き回し、この銅テープ２９の上に鉄テープ３０を巻き回して被覆されている。さらに、この鉄テープ３０の上に押さえテープ３１を巻き回し、この押さえテープ３１の上に内部シース３２を押出し被覆する。
【０００６】
そして、この内部シース３２の上に押さえテープ３３を巻き回し、この押さえテープ３３の上に防鼠用鉄テープ３４が巻き回されている。また、この防鼠用鉄テープ３４の上に押さえテープ３５を巻き回して、この押さえテープ３５の上に外部シース３６が押出し被覆されて電磁遮蔽ケーブル２１が構成されている。
【０００７】
このように図２の電磁遮蔽ケーブル２１は、銅テープ２９による電界遮蔽効果と、鉄テープ３０によって電磁誘導作用を抑制し、防鼠用鉄テープ３４により鼠による食害を防止している。
【発明の開示】
【発明が解決しようとする課題】
【０００８】
しかし、図２に図示の従来の電磁遮蔽ケーブル２１にあっては、電磁遮蔽用の銅テープ２９と鉄テープ３０の他に防鼠用の鉄テープ３４がさらに用いられている。そのため、ケーブルの外径が太くなりその分可撓性がなくなるので、ケーブルを敷設する際の取扱い性が悪いという問題点を有している。
【０００９】
また、ケーブルの外径が太くなると、ケーブルの重量が重くなりその分運搬性が悪くなるため、ケーブルを敷設する際の取扱い性が悪いという問題点を有している。
【００１０】
また、従来の電磁遮蔽ケーブル２１にあっては、電磁遮蔽用の銅テープ２９と鉄テープ３０の他に防鼠用の鉄テープ３４がさらに用いられており、ケーブルを製造する際に、ケーブルに防鼠用の鉄テープ３４を巻くためのパスラインの数と鉄テープ使用量が増える。そのため、ケーブル製造の手間と材料費がかかり、ケーブルを製造するコストが上がるという問題点を有している。
【００１１】
本発明の目的は、ケーブル外径の細径化を図ると共に電磁遮蔽効果を損なうことなく防鼠効果も得ることのできる電磁遮蔽ケーブルを提供することにある。
【課題を解決するための手段】
【００１２】
請求項１に記載の本発明に係る電磁遮蔽ケーブルは、複数の絶縁線心を撚り合わせた線心上に内部シースを被覆し、該内部シースの上に銅テープを巻回し、該銅テープの上に鉄テープを巻回し、該鉄テープの上に外部シースを被覆して構成したものである。
【００１３】
請求項２に記載の本発明に係る電磁遮蔽ケーブルは、鉄テープの厚さを２ｍｍ〜３ｍｍに構成したものである。ここで、鉄テープの厚さを２ｍｍ〜３ｍｍとしたのは、鉄テープの厚さが２ｍｍ未満では、磁気を遮蔽することができても鼠による食害を防ぐに充分な硬度を得ることができないからであり、鉄テープの厚さが３ｍｍを超えると、磁気を遮蔽すると共に鼠による食害を防ぐことはできるが、鉄テープが厚くなってしまうからである。鉄テープが厚くなると、可撓性が低下し、銅テープの上に巻き回し難くなるからである。さらに、鉄テープが厚くなると、電磁遮蔽ケーブルの外径が太くなってしまい銅テープの上に巻き回して電磁遮蔽ケーブルを形成したときに電磁遮蔽ケーブルとしての可撓性が低下し、電磁遮蔽ケーブルを敷設する際の取扱い性が悪くなるからである。加えて、鉄テープが厚くなると、電磁遮蔽ケーブルの重量が重くなってしまい、電磁遮蔽ケーブルの運搬性が悪くなり、電磁遮蔽ケーブルを敷設する際の取扱い性が悪くなるからである。
【００１４】
請求項３に記載の本発明に係る電磁遮蔽ケーブルは、内部シースの材料を硬質のプラスチックで構成したものである。すなわち、電磁遮蔽ケーブルの内部シースの材料に、表面硬度や剛性（弾性率）が大きい硬質のプラスチックを用いると、銅テープと鉄テープから加わる圧力を内部の絶縁線心に与えないようにすることができる。したがって、このように構成することにより、電磁遮蔽ケーブルは制御用ケーブルとしてさらに安定した性能を得ることができる。
【発明の効果】
【００１５】
請求項１に記載の発明によれば、ケーブル外径の細径化を図ると共に電磁遮蔽効果を損なうことなく防鼠効果も得ることができる電磁遮蔽ケーブルを得ることができる。
【００１６】
請求項２に記載の発明によれば、ケーブル外径の細径化を図ると共に電磁遮蔽効果を損なうことなく防鼠効果も得ることができる電磁遮蔽ケーブルを得ることができる。
【００１７】
請求項３に記載の発明によれば、ケーブル外径の細径化を図ると共に電磁遮蔽効果を損なうことなく防鼠効果も得ることができる電磁遮蔽ケーブルを得ることができる。
【発明を実施するための最良の形態】
【００１８】
本発明は、複数の絶縁線心を撚り合わせた線心上に内部シースを被覆し、該内部シースの上に銅テープを巻回し、該銅テープの上に２ｍｍ〜３ｍｍの厚さの鉄テープを密に巻回し、該鉄テープの上に外部シースを被覆して構成することによって実現する。
【実施例１】
【００１９】
以下、本発明に係る電磁遮蔽ケーブルの実施例について、詳しく説明する。
【００２０】
図１には、本発明に係る電磁遮蔽ケーブルの一実施例が示されている。
【００２１】
図１において、１は電磁遮蔽ケーブルで構成された制御用ケーブルで、この電磁遮蔽ケーブル１は、導体２の上に絶縁体３を被覆して構成される絶縁線心４を３本撚り合せて構成される撚線に介在５を介在させて丸型に成形し、この上に押え巻きテープ６が巻き回されている。この押え巻きテープ６の上に内部シース７が被覆されており、３心ケーブル８が構成されている。
【００２２】
この３心ケーブル８の上に、銅テープ９が巻き回されており、この銅テープ９の上に鉄テープ１０が巻き回されている。さらに、この鉄テープ１０の上に押え巻きテープ１１が巻き回されており、この押え巻きテープ１１の上に外部シース１２が押出し被覆されて構成されている。
【００２３】
このように構成される図１に図示の電磁遮蔽ケーブル１を構成する導体２には、導電性材料として好適な銅が用いられている。この導体２の上に被覆されている絶縁体３には、低密度ポリエチレン（ＬＤＰＥ）、ポリ塩化ビニル（ＰＶＣ）等の公知の熱可塑性樹脂が用いられている。さらに、この導体２の上に絶縁体３を被覆して構成された絶縁線心４を３本撚り合わせた後、この撚線を押え巻きする押え巻きテープ６には、公知のポリエステル不織布が用いられている。
【００２４】
また、押え巻きテープ６の上に被覆されている内部シ−ス７には、直鎖状低密度ポリエチレン（Ｌ−ＬＤＰＥ）、高密度ポリエチレン（ＨＤＰＥ）、低密度ポリエチレン（ＬＤＰＥ）、ポリ塩化ビニル（ＰＶＣ）等の公知の熱可塑性樹脂が用いられている。この押え巻きテープ６の上に被覆されている内部シ−ス７は、３心ケーブル８の内部の絶縁線心４の保護と、電磁遮蔽される３心ケーブル８の内径の確保と、３心ケーブル８の内部の絶縁線心４の電気伝送特性の確保と、３心ケーブル８内への水の侵入の防止を図るために用いられている。
【００２５】
また、この内部シ−ス７には、表面硬度や剛性（弾性率）が大きい硬質プラスチック、例えば高密度ポリエチレン（ＨＤＰＥ）、硬質ポリ塩化ビニル（ＰＶＣ）等の熱可塑性樹脂を用いることもできる。この硬質プラスチックを内部シ−ス７に用いる構成によれば、銅テープ９と鉄テープ１０から加わる圧力を内部の絶縁線心４に与えないようにすることができ、電磁遮蔽ケーブル１は制御用ケーブルとしてさらに安定した性能を得ることができる。なお、この内部シ−ス７には、難燃剤、熱安定剤、着色剤等の公知の添加剤を必要に応じて配合することができる。
【００２６】
この内部シース７の上に巻き回されている銅テープ９には、公知の軟銅テープが用いられている。この軟銅テープは、導電性と加工性に優れているため、電界を遮蔽（シールド）するテープとして用いられている。
【００２７】
この銅テープ９の上に巻き回されている鉄テープ１０は、磁気を遮蔽（シールド）する効果を備えると共に鼠による食害を防止する効果も兼ね備えている。電磁遮蔽ケーブルとして磁気の遮蔽の面において、透磁率の大きい金属である必要があり、鼠による食害の防止という面においては、鼠に食いちぎられない程度のテープの硬さが必要である。
【００２８】
この透磁率が大きい金属として鉄があり、鉄には、純鉄（電磁軟鉄）、ケイ素鋼板（電気鉄板）、異方性ケイ素鋼板、高純度鉄等の高透磁率を有する公知の鉄および鉄鋼材料がある。
【００２９】
また、鼠による食害を防止するに必要な硬さは、鉄テープ１０の厚さを変化させることによって得られる。この鉄テープ１０の厚さとしては、２ｍｍ〜３ｍｍの厚さが適当である。そして、好ましくは鉄テープ１０の厚さは２ｍｍである。ここで、鉄テープ１０の厚さの範囲を２ｍｍ〜３ｍｍとしたのは、鉄テープ１０の厚さが１ｍｍ未満では、磁気を遮蔽することができても鼠による食害を防ぐに充分な硬度を得ることができないからであり、鉄テープ１０の厚さが３ｍｍを超えると、磁気を遮蔽すると共に鼠による食害を防ぐことはできるが、鉄テープ１０が厚くなってしまうからである。鉄テープ１０が厚くなると、可撓性が低下し、銅テープ９の上に巻き回し難くなるからである。さらに、鉄テープ１０が厚くなると、電磁遮蔽ケーブル１の外径が太くなってしまい銅テープ９の上に巻き回して電磁遮蔽ケーブル１を形成したときに電磁遮蔽ケーブル１としての可撓性が低下し、電磁遮蔽ケーブル１を敷設する際の取扱い性が悪くなるからである。加えて、鉄テープ１０が厚くなると、電磁遮蔽ケーブル１の重量が重くなってしまい、電磁遮蔽ケーブル１の運搬性が悪くなり、電磁遮蔽ケーブル１を敷設する際の取扱い性が悪くなるからである。
【００３０】
なお、この鉄テープ１０は、銅テープ９の上に巻き回されて銅テープ９と電気的に接触されている。このように、鉄テープ１０を銅テープ９に接するように巻きつけるのは、鉄テープが銅テープに電気的に接触されていないと、電磁遮蔽効果を得ることができないからである。したがって、図２に図示の電磁遮蔽ケーブル２１のように、銅テープ２９と防鼠用鉄テープ３４との間に押さえテープ３１、内部シース３２、押さえテープ３３の各絶縁物が介在していると、防鼠用鉄テープ３４は銅テープ２９に電気的に接触されていないので、電磁遮蔽効果はない。すなわち、図２に図示の電磁遮蔽ケーブル２１は、本実施例の電磁遮蔽ケーブル１と異なり、鼠による食害を防止することができても電磁遮蔽を行うことができない。
【００３１】
また、この鉄テープ１０は、電磁遮蔽を行うと共に防鼠効果を得るために、銅テープ９の上に密に巻き回されている。したがって、鉄テープ１０の上に銅テープ９を密に巻き回しても、電磁遮蔽を図ることはできる。しかし、銅は鉄と比べて硬度が小さくて軟らかく、鼠による食害に耐えられず食いちぎられてしまい、この銅テープが鼠によって食いちぎられると、電磁遮蔽が図れなくなってしまう。したがって、鉄テープ１０の上に銅テープを巻き回して電磁遮蔽ケーブルを形成しようとすると、銅テープの厚さを本実施例の鉄テープ１０の厚さよりも厚くしなければならず、ケーブルの細径化が図れなくなってしまう。
【００３２】
このように構成される鉄テープ１０の上に巻き回されている押え巻きテープ１１は、銅テープ９の上に巻き回されている鉄テープ１０を押えるために用いられている。この押え巻きテープ１１を鉄テープ１０の上に巻き回すのは、電磁遮蔽ケーブル１を曲げた場合に鉄テープ１０の変形によって外部シース１２が傷つけられることがないようにするためである。さらに、押え巻きテープ１１を鉄テープ１０の上に巻き回すのは、鉄テープ１０を巻くときに鉄テープに皺が寄ったり、鉄テープがよじれたりして鉄テープ１０の上に周期的な模様ができ、この模様が外部シース１２を被覆したときに外部シース１２上に現れるのを防ぐためである。この押え巻きテープ１１の材料として、公知のポリエステル不織布が用いられている。
【００３３】
また、押え巻きテープ１１の上に押出し被覆されている外部シース１２は、電磁遮蔽ケーブル１の保護のために用いられている。この外部シース１２には、直鎖状低密度ポリエチレン（Ｌ−ＬＤＰＥ）、高密度ポリエチレン（ＨＤＰＥ）、低密度ポリエチレン（ＬＤＰＥ）、ポリ塩化ビニル（ＰＶＣ）等の公知の熱可塑性樹脂が用いられている。また、この外部シース１２には、内部シース７に用いた材料と同じものを使うこともできる。なお、この外部シ−ス１２には、難燃剤、紫外線吸収剤、熱安定剤、酸化防止剤等の公知の添加剤を必要に応じて配合することができる。  
以上のようにして得られた本実施例の電磁遮蔽ケーブルによれば、ケーブル外径の細径化を図ると共に電磁遮蔽効果を損なうことなく防鼠効果も得ることができる。
【００３４】
すなわち、本実施例の電磁遮蔽ケーブルによれば、電磁遮蔽効果を損なうことなく防鼠効果も得られ、従来の電磁遮蔽ケーブルと比べて、ケーブルの外径が細くなり、ケーブルの可撓性がよくなるため、ケーブルを敷設する際の取扱い性をよくすることができる。
【００３５】
また、本実施例の電磁遮蔽ケーブルによれば、電磁遮蔽効果を損なうことなく防鼠効果も得られ、従来の電磁遮蔽ケーブルと比べて、ケーブルの外径が細くなり、ケーブルの重量が軽くなって運搬性がよくなるため、ケーブルを敷設する際の取扱い性をよくすることができる。
【００３６】
さらに、本実施例の電磁遮蔽ケーブルによれば、電磁遮蔽効果を損なうことなく防鼠効果も得られ、ケーブルを製造する際に、従来の電磁遮蔽ケーブルと比べて、鉄テープを巻くためのパスラインの数と鉄テープの使用量を減らすことができるため、ケーブルを製造する際の手間と材料費が減ってケーブルの製造コストを下げることができる。
【図面の簡単な説明】
【００３７】
【図１】本発明に係る電磁遮蔽ケーブルの一実施例を示す断面図。
【図２】従来の防鼠効果を有する電磁遮蔽ケーブルの断面図。
【符号の説明】
【００３８】
１……………電磁遮蔽ケーブル
２……………導体
３……………絶縁体
４……………絶縁線心
５……………介在
６……………押え巻きテープ
７……………内部シース
８……………３心ケーブル
９……………銅テープ
１０…………鉄テープ
１１…………押え巻きテープ
１２…………外部シース
【図１】
2006139923.tif 000003
【図２】
2006139923.tif 000004